(57)【要約】      （修正有）【課題】メモリーカード挿入口を囲繞する凹面を深くしてモニターを閉じることによってメモリーカードが押し込まれても、メモリーカード側の端子とカメラ筐体側の端子が接触しないようにし、また凹面を深くしてもメモリーカードを確実にロック可能にする。【解決手段】メモリーカードがカメラ筐体の一側面の位置まで押し込まれた状態において、メモリーカード側コネクタ８２と非接触状態に保たれる位置にカメラ筐体側の端子８３を配置した。また、メモリーカード挿入口５１を囲繞する凹面５２を深くした場合でも、メモリーカード５３を確実にロック位置まで押し下げることができるように、凹面５２の平面形状を、メモリーカード挿入口５１を境にして一端側を半円形状部５２ａとし、他端側を略方形状部５２ｂとした。【選択図】図２０
2008263495.tif 000002
【特許請求の範囲】
【請求項１】
カメラ筐体の一側面にモニターを起伏開閉可能に取り付けるとともに、前記モニターを閉じた時に該モニターで覆われる位置にメモリーカード挿入口および該メモリーカード挿入口の中央部側を凹ませた凹面を設け、前記メモリーカード挿入口にメモリーカードを挿入して前記凹面の底部の近傍まで前記メモリーカードを押し込むとメモリーカードの端子とカメラ筐体の端子が接触して、前記メモリーカードに設けた被ロック部が前記カメラ筐体内に設けたロック部に係止され、前記メモリーカードを更に押し込むと前記ロック部によるメモリーカードの係止が解除されてカード排出バネによって前記メモリーカードが前記カメラ筐体の一側面よりも外側に押し出される撮像装置において、
前記メモリーカードが前記カメラ筐体の一側面の位置まで押し込まれた状態において、メモリーカード側の端子と非接触状態に保たれる位置に前記カメラ筐体側の端子を配置したことを特徴とする撮像装置。
【請求項２】
前記凹面の深さは、前記メモリーカードが前記カメラ筐体の一側面の位置まで押し込まれた位置から前記メモリーカードに設けた被ロック部が前記カメラ筐体に設けたロック部に係止されるまでの移動距離よりも大に形成されていることを特徴とする請求項１に記載の撮像装置。
【請求項３】
前記凹面の平面形状は、前記メモリーカード挿入口を境にして一端側が半円形状に形成され、他端側が前記半円形状部に連らなる略方形状に形成されていることを特徴とする請求項１に記載の撮像装置。
【請求項４】
前記メモリーカード挿入口の両端部は、前記凹面の外周縁部から外側に突出していることを特徴とする請求項１に記載の撮像装置。
【請求項５】
前記メモリーカード挿入口は、前記モニターを閉じたときに、該モニターの画面パネルの外側の枠部に対応する部分に形成されていることを特徴とする請求項１に記載の撮像装置。
【発明の詳細な説明】
【技術分野】
【０００１】
本発明は、カメラ筐体（キャビネット）の一側面にモニターとメモリーカード挿入口を設け、モニターを前記カメラ筐体の一側面に重ね合せて、所謂閉じた状態にすることにより、前記モニターで前記メモリーカード挿入口を覆うようにしたビデオカメラ等の撮像装置に関し、特に、メモリーカードが完全に挿入されていない状態でモニターを閉じることによって、該モニターでメモリーカードが押し込まれた場合でも、メモリーカード側の端子とカメラ筐体側の端子が接触して信号の授受が為されるのを防止できるようにしたものである。
【背景技術】
【０００２】
ビデオカメラとして、図２５に示すように、カメラ筐体１０１の一側面１０１ａにメモリーカード挿入口１０２および該メモリーカード挿入口１０２の中央部側を凹ませた凹面１０３を設けたものが知られている。（例えば特許文献１）。
【０００３】
前記ビデオカメラ１００は、前記メモリーカード挿入口１０２にメモリーカード１０４を挿入すると、先ず図２６Ａに示すように、メモリーカード１０４がメモリーカードホルダ１０５内に侵入し、前記メモリーカード１０４の端子（以下、メモリーカード側の端子と称する）１０６と前記メモリーカードホルダ１０５に設けた端子（以下、カメラ筐体側の端子と称する）１０７の一部が接触する。
【０００４】
前記メモリーカード１０４を更に挿入して、図２６Ｂに示すように、メモリーカード１０４を前記凹面１０３の底部の近傍まで押し込むと、前記メモリーカード１０４の被ロック部１０８がカメラ筐体１０１側に設けたロック部１０９にロック（係止）されて、前記メモリーカード１０４は、装着された状態に保持される。
【０００５】
前記メモリーカード１０４が係止されている状態において、メモリーカード１０４を更に押し込むと、前記ロック部１０９によるメモリーカード１０４のロックが解除されて、図２６Ｃに示すように、メモリーカード１０４は、カード排出バネ１１０によって前記カメラ筐体１０１の一側面１０１ａよりも外側に押し出される。
【０００６】
ロック解除時にメモリーカード１０４を前記カメラ筐体１０１の一側面１０１ａよりも外側に突出させるのは、メモリーカード１０４をメモリーカード挿入口１０２から引抜き易くするためである。
【０００７】
ところで、上記従来の撮像装置１００は、カメラ筐体１０１の一側面１０１ａにメモリーカード挿入口１０２が露出した状態になっているために、撮像装置１００の外観を損なうと共に、メモリーカード挿入口１０２からカメラ筐体１０１内に塵埃等が侵入し易いという欠点がある。
【０００８】
上記欠点を解消するために、図２７に示すように、モニター１１１を取り付けたカメラ筐体１０１の側面１０１ａ側にメモリーカード挿入口１０２を設け、前記モニター１１１を閉じた時に、該モニター１１１でメモリーカード挿入口１０２を覆い隠すようにすることが考えられる。
【０００９】
しかし、上記撮像装置にあっては、図２６Ａに示すように、メモリーカード１０４がロック部１０９によってロックされずに、カード排出バネ１１０によってカメラ筐体１０１の一側面１０１ａよりも外側に押し出された状態になっている場合でも、モニター１１１を閉じることによって、図２８に示すように、モニター１１１でメモリーカード１０４がカメラ筐体１０１の一側面１０１ａの位置まで押し込まれて、メモリーカード側の端子１０６とカメラ筐体側の端子１０７が接触して信号の授受が為されてしまう。
【特許文献１】特開２００６−１８４８１４号公報
【発明の開示】
【発明が解決しようとする課題】
【００１０】
上記モニター１１１でメモリーカード挿入口１０２を覆い隠すようにした撮像装置は、上述したように、メモリーカード１０４がロック部１０９によってロックされず、カメラ筐体１０１の一側面１０１ａよりも外側に押し出された状態になっている場合でも、モニター１１１を閉じることによって、メモリーカード１０４がカメラ筐体１０１の一側面１０１ａの位置まで押し込まれて、メモリーカード側の端子１０６とカメラ筐体側の端子１０７が接触して、信号の授受が可能になるので、撮影した画像等は、メモリーカード１０４に記録されるが、モニター１１１を開くと、その途端にメモリーカード１０４は、カード排出バネ１１０によって押し出されて、メモリーカード側の端子１０６とカメラ筐体側の端子１０７が非接触状態になって、記録が中断してしまうという問題点があった。
【００１１】
本発明の目的は、モニターを閉じることによって、メモリーカードがカメラ筐体の一側面の位置まで押し込まれた場合でも、メモリーカード側の端子とカメラ筐体側の端子が接触しない、従ってモニターを開いてもメモリーカード側の端子とカメラ筐体側の端子が非接触状態になることのないビデオカメラ等の撮像装置を提供することにある。
【００１２】
また、本発明の他の目的は、前記メモリーカードが前記カメラ筐体の一側面の位置まで押し込まれた状態において前記カメラ筐体側の端子と非接触状態に保つ位置に前記カメラ筐体側の端子を配置したビデオカメラ等の撮像装置において、前記メモリーカードをロック部材の位置まで押し下げるために、前記凹面を深くした場合でも、メモリーカードを前記凹面の底部近傍位置まで容易に押し下げて、メモリーカードをロック部に確実にロックすることのできるビデオカメラ等の撮像装置を提供することにある。
【課題を解決するための手段】
【００１３】
本発明は、カメラ筐体の一側面にモニターを起伏開閉可能に取り付けるとともに、前記モニターを閉じた時に該モニターで覆われる位置にメモリーカード挿入口および該メモリーカード挿入口の中央部側を凹ませた凹面を設け、前記メモリーカード挿入口にメモリーカードを挿入して前記凹面の底部の近傍まで前記メモリーカードを押し込むとメモリーカードの端子とカメラ筐体の端子が接触して、前記メモリーカードに設けた被ロック部が前記カメラ筐体内に設けたロック部に係止され、前記メモリーカードを更に押し込むと前記ロック部によるメモリーカードの係止が解除されてカード排出バネによって前記メモリーカードが前記カメラ筐体の一側面の位置よりも外側に押し出されるビデオカメラ等の撮像装置において、
前記メモリーカードが前記カメラ筐体の一側面の位置まで押し込まれた状態において、メモリーカード側の端子と非接触状態に保たれる位置に前記カメラ筐体側の端子を配置した。
【００１４】
本発明は、前記メモリーカードが前記カメラ筐体の一側面の位置まで押し込まれた位置から前記メモリーカードに設けた被ロック部が前記カメラ筐体に設けたロック部に係止されれるまでの移動距離よりも前記凹面の底部までの深さを大に形成した。
【００１５】
本発明は、前記凹面の平面形状を、前記メモリーカード挿入口を境にして一端側を半円形状に形成し、他端側を前記半円形状部に連らなる略方形状に形成した。
【００１６】
また、本発明は、前記メモリーカード挿入口の両端部を前記凹面の外周縁部から外側に突出させた。
【００１７】
また、本発明は、前記メモリーカード挿入口を、前記モニターを閉じたときに、該モニターの画面の外側の枠部に対応する部分に形成した。
【発明の効果】
【００１８】
モニターを閉じることによって、メモリーカード挿入口がモニターによって塞がれた状態になるので、メモリーカード挿入口からの塵埃等の侵入を防止することができる。また、モニターを閉じることによって、メモリーカードがカメラ筐体の一側面の位置まで押し込まれた場合でも、メモリーカード側の端子とカメラ筐体側の端子が接触するのを未然に防止するこができる。
【００１９】
また、前記カメラ筐体の一側面から前記カメラ筐体側の端子までの距離を調整することにより、容易に前記メモリーカード側の端子と前記カメラ筐体側の端子を非接触状態に保つことができる。
【００２０】
また、前記メモリーカードが前記カメラ筐体の一側面の位置まで押し込まれた位置から前記メモリーカードに設けた被ロック部が前記カメラ筐体に設けたロック部に係止されるまでの移動距離よりも前記凹面の底部までの深さを大に形成したので、前記凹面の底部の近傍まで前記メモリーカードを挿入すれば、前記メモリーカードに設けた被ロック部は、前記カメラ筐体に設けたロック部に係止される。
【００２１】
前記メモリーカードを前記カメラ筐体の一側面の位置まで押し込んでも前記メモリーカード側の端子と前記カメラ筐体側の端子が非接触状態を保つようにした場合において、前記メモリーカードに設けた被ロック部を、前記カメラ筐体に設けたロック部に係止させるためには、前記メモリーカードを前記カメラ筐体の一側面の位置まで押し込んだときに、前記メモリーカード側の端子と前記カメラ筐体側の端子が接触するようになっている場合に較べて、前記凹面の深さを、より深くしなければならず、前記凹面を深くした場合に、前記凹面が平面円形状で、且つスペース的な制約によりその直径が小さい場合には、指先等で前記メモリーカードを前記凹面の底部まで押し込むのが困難になる。そこで、本発明は、前記凹面の平面形状を、前記メモリーカード挿入口を境にして一端側を半円形状に形成し、他端側を前記半円形状部に連らなる略方形状に形成したので、前記凹面の形状は、指先の形状に見合ったものになって、円形状の凹面に較べて、前記メモリーカードを前記凹面の底部まで押し込み易いものになる。
【００２２】
また、本発明は、前記メモリーカード挿入口の両端部を前記凹面の外周縁部から外側に突出させたので、該突出部の肉厚を前記凹面部分よりも厚くして、メモリーカードを挿入する際の挿入ガイド部として有効に利用することができる。
【００２３】
また、本発明は、前記メモリーカード挿入口を、前記モニターを閉じたときに、該モニターの画面パネルの外側の枠部に対応する部分に形成したので、前記モニターを閉じたときに、モニターの画面パネルは、前記メモリーカードに接触せず、画面の外側の枠部が接触するので、モニターの画面パネルを保護することができる。
【発明を実施するための最良の形態】
【００２４】
以下、本発明の撮像装置を、（１）撮像装置の概略構成、（２）メモリーカード挿入口およびメモリーカードホルダの構成、（３）スライド式の端子カバーの構成、（４）作用，効果、（５）他の実施例、の順に説明する。
（１）撮像装置の概略構成
図１〜図４は撮像装置の一例としてのビデオカメラ１を示し、図１はビデオカメラ１をグリップベルト側から見た斜視図、図２はビデオカメラ１をモニター側から見た斜視図、図３はモニターを使用状態にした斜視図、図４はビデオカメラを後面側から見た斜視図である。
【００２５】
ビデオカメラ１は、略直方体状のカメラ筐体２の前面２ａ側にレンズ鏡筒３と、フラッシュ装置４と、赤外線発光部５を備えている。
【００２６】
前記カメラ筐体２の上面２ｂにはマイクロホン６と、アクティブインターフェースシュー７と、光学ビューファインダー（以下、ＯＶＦと称する）８と、ズームレバー９と、フォトボタン１０が設けられている。
【００２７】
図２に示すように、前記ＯＶＦ８は、アイカップ１１を前記カメラ筐体２の後面２Ｃ側に向けた状態で起伏回動可能に取り付けられていて、前記カメラ筐体２の上面２ｂに沿わせて略水平にした状態から前記カメラ筐体２の上面２ｂに対して略直角に起立させることができる。
【００２８】
前記アイカップ１１の側方には、電源スイッチ１２が設けられている。前記電源スイッチ１２の下方には、フラッシュ／充電ランプ１３、アクセスランプ１４、スタート／ストップボタン１５等が設けられている。
【００２９】
図１に示すように、前記カメラ筐体２の第１の側面（以下、グリップ面と称する）２ｄの下方にはグリップベルト２０が設けられて、該グリップベルト２０と前記グリップ面２ｄとの間に指先を挿入して手の平を前記グリップ面２ｄに当ててカメラ筐体２を把持する。
【００３０】
前記グリップ面２ｄは、外側に向かって膨出する湾曲面に形成されていて、手の平で把持し易いようになっている。前記グリップ面２ｄの後端側、即ち、前記グリップ面２ｄの後面２ｃ側の端部には、前記グリップ面２ｄよりも一段低い位置に第１の端子部２１が設けられていて、該第１の端子部２１内にコンポーネント・アウト端子２２と、Ａ／Ｖアウト端子２３が配置されている。
【００３１】
前記第１の端子部２１は、前記グリップ面２ｄの内面に沿ってスライド可能に取り付けられたスライド式の端子カバー３１によって開閉される。
【００３２】
スライド式の端子カバー３１は、操作ボタン３２を前記グリップ面２ｄに設けた長孔３３に嵌合した状態で、前記グリップ面２ｄの内面に沿ってスライド可能に取り付けられていて、前記操作ボタン３２を前記長孔３３の一端部３３ａ側に移動させることにより、前記第１の端子部２１を閉じてコンポーネント・アウト端子２２およびＡ／Ｖ・アウト端子２３の上方を覆い、前記操作ボタン３２を前記長孔３３の他端部３３ｂ側に移動させることにより、前記第１の端子部２１を開いて前記コンポーネント・アウト端子２２およびＡ／Ｖ・アウト端子２３を露出させる。
【００３３】
また、前記グリップ面２ｄの前端側、即ち、前記グリップ面２ｄの前面２ａ側の端部には、前記グリップ面２ｄよりも一段低い凹んだ位置には第２，第３の端子部（図示省略）が設けられていて、第２の端子部にはＨＤＭＩ・アウト端子２４が配置され、第３の端子部には、ＭＩＣ端子２５、ヘッドホン端子２６が配置されている。
【００３４】
前記ＨＤＭＩ・アウト端子２４を設けた第２の端子部は、回動式（跳ね上げ式）の第２の端子カバー３５で開閉され、前記ＭＩＣ端子２５とヘッドホン端子２６を設けた第３の端子部は、回動式（跳ね上げ式）の第３の端子カバー３６で開閉される。前記回動式の第２、第３の端子カバー３５，３６は、ヒンジ３７によってカメラ筐体２に取り付けられていて、該ヒンジ３７で折り曲げることにより前記端子を開いた状態から閉じた状態に、或いは閉じた状態から開いた状態に変移させる。
【００３５】
また、図２に示すように、前記カメラ筐体２のグリップ面２ｄと対向する第２の側面（以下、モニター取付面と称する）２ｅにはモニター４１が取り付けられている。前記モニター４１は、図２に示すように、前記モニター取付面２ｅに重ね合せた所謂閉位置から、図３に示すように、前記モニター取付面２ｅに対して略直角に立てた所謂開位置に変移可能になっている。
【００３６】
図３に示すように、前記モニター４１は、内面に画面／タッチパネル４２を備え、該内面に画面／タッチパネル４２の外側の外枠部分４３にはスタート／ストップボタン４４、ズームボタン４５、ホームボタン４６等を備えている。
【００３７】
また、前記モニター４１が重ね合わされる前記モニター取付面２ｅにはスピーカー４７、画像再生ボタン４８、フィルムロールインデックスボタン４９、画像表示／バッテリーインフォボタン５０、メモリーカード挿入口５１等が設けられている。前記スピーカー４７は、前記モニター取付面２ｅの上部中央の内側に内蔵されている。前記画像再生ボタン４８、フィルムロールインデックスボタン４９、画像表示／バッテリーインフォボタン５０、メモリーカード挿入口５１は、前記モニター４１を閉じたときに前記画面／タッチパネル４２を損傷することのないように前記画面／タッチパネル４２の外枠部分４３に対応する位置に設けられている。
【００３８】
前記メモリーカード挿入口５１の周囲には、これを囲繞するように座繰り状の凹面（窪部）５２が形成されている。そして、前記メモリーカード挿入口５１にメモリーカード５３を挿入して、該メモリーカード５３を前記凹面５２の底部の近傍まで押し込むと、前記メモリーカード５３はロックされて装着された状態になる。
（２）メモリーカード挿入口およびメモリーカードホルダの構成
図１３に示すように、前記カメラ筐体２のモニター取付面２ｅにはメモリーカード挿入口５１が設けられていると共に、該メモリーカード挿入口５１の周囲には、これを囲繞するように座繰り状の凹面（窪部）５２が形成されている。
【００３９】
メモリーカード５３は、メモリーカード挿入口５１に挿入して所定の位置（前記凹面５２の底面近傍位置）まで押し込むと、カメラ筐体２に装着された状態にロックされ、メモリーカード５３を更に押し込むと、ロックを解除されて、前記カメラ筐体２のモニター取付面２ｅよりも外側に押し出される。即ち、公知の所謂プッシュ−プッシュ機構によってメモリーカード５３の装着と排出が行われる。
【００４０】
図１４に示すように、メモリーカード挿入口５１の内側には、カードホルダ８１が配置されている。前記カードホルダ８１内には、前記メモリーカード５３の端子（以下、メモリーカード側の端子と称する）８２に接続される端子（以下、カメラ筐体側の端子と称する）８３が設けられている。
【００４１】
図１５，図１６に示すように、前記カメラ筐体側の端子８３は、前記モニター４１を閉じることにより前記メモリーカード５が前記モニター取付面２ｅと略面一の位置まで押し込まれた状態において、前記メモリーカード側の端子８２と非接触状態に保たれる位置に配置されている。
【００４２】
前記メモリーカード挿入口５１を囲繞する凹面５２の深さＤ１は、前記メモリーカード５３が前記モニター取付面２ｅの位置まで押し込まれた位置における前記メモリーカード５３の被ロック部８４の位置から前記カードホルダ８１のロック部８５までの距離Ｄ２よりも大に形成されている。Ｄ１＞Ｄ２としたのは、図１４に示すように、前記ロック部８５で前記メモリーカード５３をロックした場合に、前記メモリーカード５３の端部を前記凹面５２の底面から若干、突出させるためである。そして、前記凹面５２の底面から突出している部分を更にプッシュすると、前記ロック部８５によるロックを解除されたメモリーカード５３は、図１８に示すように、前記モニター取付面２ｅから所定量突出した状態になる。
【００４３】
前記ロック部８５は、板バネ８６に設けられていて、前記メモリーカード５３が挿入されると、該メモリーカード５３の表面で押されて板バネ８６が撓むことにより逃げ移動し、メモリーカード５３の被ロック部８４が前記ロック部８５の位置にくると、板バネ８６が復帰して、図１４に示すように、前記ロック部８５が被ロック部８４に係合してメモリーカード５３をロックする。また、前記メモリーカード５３を更に押し込むと、前記ロック部８５が被ロック部８４から抜け出るので、前記押し込む力を解除すると、前記メモリーカード５３の挿入により圧縮されていたカード排出バネ（圧縮スプリング）８７の伸張力によって、メモリーカード５３が所定の位置まで押し出される。上記被ロック部８４およびロック部８５の構成は、プッシュ−プッシュ機構の一例の概略を示すものであって、被ロック部８４およびロック部８５は、メモリーカード５３を所定の位置まで押し込んでロックし、メモリーカード５３を再び押し込むことによりロックを解除することができる構成であればよい。
【００４４】
上述したように、モニター４１を閉じることによりメモリーカード５がモニター取付面２ｅの位置まで押し込まれた状態において、カード側コネクタ８２とカメラ筐体側コネクタ８３を非接触状態に保つためには、図２６に示した従来のメモリーカード１０４がカメラ筐体の一側面１０１ａの位置まで押し込まれた状態において、カード側コネクタ１０６とカメラ筐体側コネクタ１０７を接触させる場合の凹面１０３の深さＤに較べて、凹面５２の深さＤ１をより深くしなければならい。
【００４５】
凹面５２の深さＤ１を深くした場合に、図１９Ａに示すように、凹面５２が円形の場合には、図１９Ｂ，図１９Ｃに示すように、指先Ｆでメモリーカード５をロック位置まで押し込むのが困難になる。円形の凹面５２の直径を大きくすれば容易に押し込むことができるが、凹面５２の直径を大きくする場合には、スペース的な制約を受ける。
【００４６】
図２０は、凹面５２の深さＤ１を深くした場合においても、指先Ｆでメモリーカード５をロック位置まで押し込むのを容易にした実施例である。この実施例において、前記凹面５２の平面形状は、メモリーカード挿入口５１を境にして一端側が半円形部５２ａに形成され、他端側が前記半円形部５２ａに連らなる方形部５２ｂに形成されている。
【００４７】
前記凹面５２の一端側を半円形部５２ａに形成したのは、爪先の湾曲した形状に合わせたものである。また、前記凹面５２の他端側を方形部５２ｂに形成したのは、指先Ｆの長さ方向の幅（太さ）にほぼ合わせたものである。
【００４８】
この実施例においては、図２０Ｂ，図２０Ｃに示すように、前記方形部５２ｂの存在によって、指先Ｆの腹Ｂの部分を凹面５２が円形の場合に較べて、より凹面５２内に挿入することが可能となる。従って、凹面５２の深さＤ１を多少深くした場合においても、指先Ｆでメモリーカード５３をロック位置まで確実に押し込むことが可能になる。
【００４９】
図２１に示すように、前記メモリーカード挿入口５１と凹面５２は、スロット部材９１に設けられていて、前記モニター取付面２ｅに取り付けられている。前記メモリーカード挿入口５１は、前記スロット部材９１の上面から下面に貫通した状態で形成されている。また、前記凹面５２は、メモリーカード挿入口５１を境にして一端側が半円形部５２ａに形成され、他端側が前記半円形部５２ａに連らなる方形部５２ｂに形成されている。前記凹面５２は、前記スロット部材９１の上面を下面に向けて抉ったように形成されている。前記メモリーカード挿入口５１の両端部は、前記凹面５２の外周縁部から外側に突出していて、メモリーカード５３を挿入する際のガイド部９２になっている。
【００５０】
実施例のメモリーカード挿入口５１およびメモリーカードホルダ８１は上述のような構成であって、メモリーカード挿入口５１にメモリーカード５３を挿入すれば、該メモリーカード５３は、前記メモリーカード挿入口５１の両端部のガイド部９２によってガイドされて、確実に前記メモリーカードホルダ８１内に挿入される。そして、前記メモリーカード５を前記凹面５２の底面近傍まで押し込めば、メモリーカード５３は、メモリーカードホルダ８１に設けたロック部８５によってロックされて、カメラ筐体２に装着された状態になる。
【００５１】
特に、前記凹面５２の一端側を半円形部５２ａに形成し、他端側を方形部５２ｂに形成すれば、指先Ｆの腹Ｂの部分が前記凹面５２内に挿入し易くなる。従って、凹面５２が深い場合でも前記メモリーカード５３をロック位置まで確実に挿入してロックさせることができる。
【００５２】
また、メモリーカード５３がロック位置まで挿入されず、前記モニター取付面２ｅよりも突出している状態で、モニター４１を閉じると、該モニター４１によって、前記メモリーカード５３は、前記モニター取付面２ｅの位置まで押し込まれるが、メモリーカード側の端子８２とカメラ筐体側の端子８３は接触することはない。この場合には、メモリーカード側の端子８２とカメラ筐体側の端子８３が非接触状態であることの表示が為される。
（３）スライド式の端子カバーの構成
上述したように、スライド式のコネクタ端子カバー３１は、そのスライドによって前記コンポーネント・アウト端子２２と、Ａ／Ｖ・アウト端子２３を開閉する。
【００５３】
図４〜図６に示すように、前記グリップ面２ｄの後面２ｃ側の端部には、前記コンポーネント・アウト端子２２とＡ／Ｖアウト端子２３を外部に臨ませる開口部（端子窓）５５が設けられている。
【００５４】
前記スライド式の端子カバー３１は、前記グリップ面２ｄの内側にスライド可能に設けられていて、前記開口部５５を開閉する。
【００５５】
上述したように、スライド式の端子カバー３１は、操作ボタン３２を前記グリップ面２ｄに設けた長孔３３に嵌合した状態で、前記グリップ面２ｄの内面に沿ってスライド可能に取り付けられていて、図５に示すように、前記操作ボタン３２を前記長孔３３の一端部３３ａ側に移動させることにより、前記開口部５５を塞いで、前記コンポーネント・アウト端子２２やＡ／Ｖアウト端子２３を保護すると共に、端子接続ケーブルを接続不可能な状態にする。また、図６に示すように、前記操作ボタン３２を前記長孔３３の他端部３３ｂ側に移動させることにより、前記開口部５５を開いて前記コンポーネント・アウト端子２２およびＡ／Ｖ・アウト端子２３を露出させて、前記コンポーネント・アウト端子２２やＡ／Ｖアウト端子２３に接続ケーブルの端子を接続可能な状態にする。
【００５６】
図７は、スライド式の端子カバー３１を前記グリップ面２ｄの内面から取外した状態を示す斜視図である。前記グリップ面２ｄは、合成樹脂製の側面板６１の外側面に形成されている。前記側面板６１の内面には、格子状のリブ６２と、前記スライド式の端子カバー３１をスライド可能に収容するカバー収容部６３と、前記スライド式の端子カバー３１との摩擦を低減させるためのレール状の突起６４と、トグルバネ（捩じりコイルバネ）６５の一端部６５ａを係止する第１のバネ係止部６６と、ハードディスクドライブ７６のベースカメラ筐体６７をネジ止めするためのボス部６８と、前記トグルバネ６５を受ける（接触）させる複数の弧状突起６９が設けられている。前記長孔３３は、前記カバー収容部６２に臨む位置に形成されている。
【００５７】
前記スライド式の端子カバー３１は、前記グリップ面２ｄに合わせて湾曲させた略矩形の合成樹脂製の板材によって形成されていて、外面側には前記長孔３３に挿入する操作ボタン３２と、前記レール状の突起６４に接触するレール状の突起７０が設けられている。また、前記スライド式の端子カバー３１には、これをスライドさせた時に前記第１のバネ係止部６６やボス部６８と干渉するのを避けるための切欠部７１が設けられている。また、前記スライド式の端子カバー３１の内面には、前記トグルバネ（捩じりコイルバネ）６５の他端部６５ｂを係止する第２のバネ係止部７２と、ハードディスクドライブのベースキャビネット６７の内面に接触して摩擦を低減させるレール状の突起７３と、前記トグルバネ６５を受ける複数の弧状突起７４が設けられている。
【００５８】
前記スライド式の端子カバー３１は、前記操作ボタン３２を前記長孔３３に挿入すると共に、前記レール状の突起７３を前記側面板６１の内面に設けたレール状の突起６４に接触させ、前記切欠部７１内に前記第１のバネ係止部６６やボス部６８、弧状突起６９を挿入した状態で前記カバー収容部６２内にスライド可能に取り付けられる。
【００５９】
図８〜図１０に示すように、前記トグルバネ６５は、一端部６５ａが前記第１のバネ係止部６６に係止され、他端部６５ｂが前記第２のバネ係止部７２に係止されている。前記トグルバネ６５は、前記操作ボタン３２が前記長孔３３の中央部に位置している状態から一端側３３ａに移動させたときに該操作ボタン３３乃至スライド式の端子カバー３１を前記長孔３３の一端側３３ａに向けて付勢する。また、前記操作ボタン３２を前記長孔３３の中央部から他端側３３ｂに移動させたときに該操作ボタン３２乃至スライド式の端子カバー３１を前記長孔３３の他端側３３ｂに向けて付勢する。
【００６０】
即ち、前記トグルバネ６５は、図５に２点鎖線で示す前記操作ボタン３２が前記長孔３３の中央部に位置し、前記スライド式の端子カバー３１が前記開口部５５が半開している状態においては、前記スライド式の端子カバー３１をスライド方向に付勢する力を発生せずに前記スライド式の端子カバー３１を前記開口部５５を半開している状態（位置）に保ち、この状態から前記スライド式の端子カバー３１を少しでも前記開口部５５を閉塞する方向（矢印Ａ方向）に移動させると、図８，図９に示すように、前記トグルバネ６５は、前記スライド式の端子カバー３１を前記開口部５５を閉塞する方向に付勢して、図５に実線で示すように、前記操作ボタン３２を前記長孔３３の一端側３３ａに移動させて、前記スライド式の端子カバー３１で前記開口部５５を全閉した状態にする。
【００６１】
また、前記スライド式の端子カバー３１が前記開口部５５を半開している状態から前記スライド式の端子カバー３１を少しでも前記開口部５５を閉塞する方向（図６の矢印Ｂ方向）に移動させると、図１０に示すように、前記トグルバネ６５は、反転して前記スライド式の端子カバー３１を前記開口部５５を開放する方向に付勢して、図６に示すように、前記開口部５５を全開した状態にする。
【００６２】
図７に示すハードディスクドライブのベースキャビネット６７は、前記スライド式の端子カバー３１と前記トグルバネ６５を組み付けた後に、ネジ７５によって前記ボス部６８に取り付けられる。
【００６３】
図１１、図１２に示すように、前記スライド式の端子カバー３１は、前記グリップ面２ｄと前記ベースキャビネット６７との間に挟まれた状態でスライド可能に保持されている。前記ベースキャビネット６７の内側にはハードディスクドライブ７６が配置されている。前記ハードディスクドライブ７６の前，後の端部の更に外側に前記各種のコネクタ端子が配置されている。前記ハードディスクドライブ７６は、ダンパー７７によって防振保護されている。
【００６４】
実施例のスライド式の端子カバー３１は、グリップ性を向上させるために外側に向かって膨出させたグリップ面２ｄの内側に配置し、従来デッドスペースとして無駄になっていたスペースをスライド式の端子カバー３１の配置スペースとして有効に利用したので、スライド式の端子カバー３１を配置するために特別の配置スペースを確保する必要がなく、撮像装置を小型化する上で効果的なものになる。
【００６５】
また、スライド式の端子カバー３１に設けた操作ボタン３２をグリップ面２ｄに設けた長孔３３に挿入して、前記操作ボタン３２を直接、操作してスライド式の端子カバー３１をスライドさせる構成にしたので、スライド式の端子カバー３１の操作が確実に行うことができる。
【００６６】
また、トグルバネ６５により前記スライド式の端子カバー３１の開閉操作を容易に行うことができると共に、前記スライド式の端子カバー３１を閉じた状態或いは開いた状態に維持することができる。
（４）作用および効果
実施例のビデオカメラ１は、上述のような構成であって、メモリーカード５３が前記モニター取付面２ｅの位置まで押し込まれた状態において、メモリーカード側の端子８２と非接触状態に保たれる位置に前記カメラ筐体側の端子８３を配置したので、メモリーカード５３が不完全にメモリーカード挿入口３１に挿入されていて、モニター４１を閉じたときに、該モニター４１によって、メモリーカード５３が前記モニター取付面２ｅの位置まで押し込まれた場合でも、メモリーカード側の端子８２とカメラ筐体側の端子８３が接触するのを防止することができる。
【００６７】
また、実施例のビデオカメラ１は、前記カメラ筐体のグリップ面の前，後の端部にアウト端子を設けたので、従来のカメラ筐体の後面の下端側から突出させた状態でコネクタ端子を配置しているビデオカメラに較べて、カメラ筐体を薄くすることができる。
【００６８】
特に、コンポーネント・アウト端子２２及び／又はＡ／Ｖ・アウト端子２３をカメラ筐体２のグリップ面２ｄの後端側に配置すると共に、これらコンポーネント・アウト端子２２及び／又はＡ／Ｖ・アウト端子２３をスライド式の端子カバー３１で開閉する構成にしたので、図２２に示すように、ビデオカメラ１を把持した状態で、スライド式の端子カバー３１を開いて前記コンポーネント・アウト端子２２及び／又はＡ／Ｖ・アウト端子２３にＡ／Ｖケーブル９３等を接続した場合でも、スライド式の端子カバー３１は、カメラ筐体２のグリップ面２ｄの下に仕舞い込まれた状態になるので、従来の回動式の端子カバーのように邪魔にならなず、店頭に展示して販売する際等に使い勝手の良さをアピールすることができる。
（５）他の実施例
上記実施例においては、カメラ筐体２のグリップ面２ｄの後端側、即ち、前記グリップ面２ｄの後面２ｃ側の端部に、コンポーネント・アウト端子２２と、Ａ／Ｖアウト端子２３を配置し、前記グリップ面２ｄの前端側、即ち、前記グリップ面２ｄの前面２ａ側の端部には、ＨＤＭＩ・アウト端子２４、ＭＩＣ端子２５、ヘッドホン端子２６を配置し、前記コンポーネント・アウト端子２２と、Ａ／Ｖアウト端子２３をスライド式の端子カバー３１で開閉し、ＨＤＭＩ・アウト端子２４を回動式（跳ね上げ式）の第２の端子カバー３５で開閉し、ＭＩＣ端子２５、ヘッドホン端子２６を回動式（跳ね上げ式）の第３の端子カバー３６で開閉する構成にしたが、ＨＤＭＩ・アウト端子２４、ＭＩＣ端子２５、ヘッドホン端子２６をスライド式の端子カバーで開閉してもよい。
【００６９】
また、前記コンポーネント・アウト端子２２と、Ａ／Ｖアウト端子２３、ＨＤＭＩ・アウト端子２４、ＭＩＣ端子２５、ヘッドホン端子２６等の配置は自由であり、スペース的に許されるものであれば、グリップ面２ｄの前端側或いは後端側の何れか一方に全ての端子を配置して、これらスライド式の端子カバーで開閉する構成にしてもよい。
【００７０】
また、上記実施例では、凹面５２の形状を一端側が半円形部５２ａで、他端側が方形部５２ｂの所謂マンボウ型の形状に形成した場合を示したが、凹面５２の形状は、図１９Ａ，Ｂに示すように、略三角形状や、卵型形状であってもよく、要は、指先Ｆでメモリーカード５をロック位置まで確実に押し込むこと
ができる形状であればよい。
【００７１】
また、上記実施例では、図１に示すように、フラッシュ装置４をレンズ鏡筒３の先端部に配置し、赤外線発光部５をレンズ鏡筒３の付け根部分に配置していたために、赤外線発光部５を使用して撮影した場合に、レンズ鏡筒３によって赤外線照明光に所謂ケラレが生じて、映像に輪郭線等が発生する場合があった。そこで、図２４に示すように、赤外線発光部５をフラッシュ装置４と同様にレンズ鏡筒３の先端部に配置することにより、ケラレの発生を無くす構成にすることができる。他の構成は、上記基本となる実施例と同じである。また、上記実施例では、撮像装置として、ビデオカメラを例にとって説明したがスチルカメラであってもよい。
【図面の簡単な説明】
【００７２】
【図１】ビデオカメラをグリップベルト側から見た斜視図。
【図２】ビデオカメラをモニター側から見た斜視図。
【図３】モニターを使用状態にした斜視図。
【図４】ビデオカメラを後面側から見た斜視図。
【図５】スライド式の端子カバーを閉じた状態の要部の斜視図。
【図６】スライド式の端子カバーを開いた状態の要部の斜視図。
【図７】スライド式の端子カバーを取外した状態を示す斜視図。
【図８】スライド式の端子カバーが閉じられている状態の要部の斜視図。
【図９】スライド式の端子カバーが閉じられている状態の要部の正面図。
【図１０】スライド式の端子カバーが開かれている状態の要部の正面図。
【図１１】スライド式の端子カバー部分を断面した斜視図。
【図１２】スライド式の端子カバー部分を断面した平面図。
【図１３】メモリーカードを装着した状態の斜視図。
【図１４】図１３のＡ−Ａ断面図。
【図１５】モニターを閉じた状態の側面図。
【図１６】図１５のＢ−Ｂ断面図。
【図１７】メモリーカードが所定の位置まで排出された状態の斜視図。
【図１８】図１７のＣ−Ｃ断面図。
【図１９】Ａはメモリーカード挿入口とこれを囲繞する凹面の平面図、Ｂはメモリーカードを指先で押し込んでいる状態を示す断面図、Ｃはメモリーカードを指先で押し込んでいる状態を示す平面図。
【図２０】Ａはメモリーカード挿入口とこれを囲繞する凹面の他の実施例の平面図、Ｂはメモリーカードを指先で押し込んでいる状態を示す断面図、Ｃはメモリーカードを指先で押し込んでいる状態を示す平面図。
【図２１】メモリーカード挿入口と凹面を設けたスロット部材の斜視図。
【図２２】撮像装置を使用している状態の斜視図。
【図２３】ＡとＢは凹面の他の実施例を示す平面図。
【図２４】赤外線発光部とフラッシュ装置を対向配置した撮像装置の斜視図。
【図２５】従来のビデオカメラの斜視図。
【図２６】Ａ，Ｂ，Ｃはメモリーカードを挿入した状態の断面図。
【図２７】モニター取付面にメモリーカード挿入口を設けた撮像装置の斜視図。
【図２８】図２７の撮像装置の問題点を示す断面図。
【符号の説明】
【００７３】
１…ビデオカメラ（撮像装置）、２…カメラ筐体（カメラ筐体）、２ａ…前面、２ｂ…上面、２ｃ…後面、２ｄ…第１の側面（グリップ面）、２ｅ…第２の側面（モニター取付面）、４１…モニター、４２…画面／タッチパネル、５１…メモリーカード挿入口、５２…凹面、５３…メモリーカード、８２…メモリーカード側コネクタ、８３…カメラ筐体側コネクタ、８４…被ロック部、８５…ロック部、８６…板バネ、８７…カード排出バネ。
【図１】
2008263495.tif 000003
【図２】
2008263495.tif 000004
【図３】
2008263495.tif 000005
【図４】
2008263495.tif 000006
【図５】
2008263495.tif 000007
【図６】
2008263495.tif 000008
【図７】
2008263495.tif 000009
【図８】
2008263495.tif 000010
【図９】
2008263495.tif 000011
【図１０】
2008263495.tif 000012
【図１１】
2008263495.tif 000013
【図１２】
2008263495.tif 000014
【図１３】
2008263495.tif 000015
【図１４】
2008263495.tif 000016
【図１５】
2008263495.tif 000017
【図１６】
2008263495.tif 000018
【図１７】
2008263495.tif 000019
【図１８】
2008263495.tif 000020
【図１９】
2008263495.tif 000021
【図２０】
2008263495.tif 000022
【図２１】
2008263495.tif 000023
【図２２】
2008263495.tif 000024
【図２３】
2008263495.tif 000025
【図２４】
2008263495.tif 000026
【図２５】
2008263495.tif 000027
【図２６】
2008263495.tif 000028
【図２７】
2008263495.tif 000029
【図２８】
2008263495.tif 000030